(57)【要約】【課題】  見る者の注意を引きつけることができる回転式ショーケースを提供する。【解決手段】  側壁の少なくとも一部が透明に形成されたケース本体１０と、ケース本体１０の内部に底面１２に対して垂直な回転軸２１周りに回転可能に支持された不透明または半透明の回転板２０と、回転板２０を回転駆動する駆動装置３０とを備え、回転板２０は、底面１２に対して垂直に起立するように配置され、回転板２０の一方面に固定されて展示品Ｅ１を載置可能な棚板２２と、回転板２０の他方面から突出して展示品Ｅ２を吊り下げ支持可能な係合部２３とを更に備える回転式ショーケース１。【選択図】  図１
2020092806.tif 000002
【特許請求の範囲】
【請求項１】
側壁の少なくとも一部が透明に形成されたケース本体と、
前記ケース本体の内部に底面に対して垂直な回転軸周りに回転可能に支持された不透明または半透明の回転板と、
前記回転板を回転駆動する駆動装置とを備え、
前記回転板は、前記底面に対して垂直に起立するように配置され、
前記回転板の一方面に固定されて展示品を載置可能な棚板と、
前記回転板の他方面から突出して展示品を吊り下げ支持可能な係合部とを更に備える回転式ショーケース。
【請求項２】
前記係合部は、アーチ状に形成されており、両端部が前記回転板に固定されている請求項１に記載の回転式ショーケース。
【請求項３】
前記係合部に吊り下げ支持された展示物に対して下方から冷気を供給することにより冷却する冷却装置を更に備える請求項１または２に記載の回転式ショーケース。
【発明の詳細な説明】
【技術分野】
【０００１】
本発明は、回転式ショーケースに関し、より詳しくは、食品等の展示品を回転させることができる回転式ショーケースに関する。
【背景技術】
【０００２】
従来の回転式ショーケースとして、特許文献１に開示されているように、全周がガラスにより囲まれたケース内に回転棚を備え、ケースの下部に設けられた冷却装置によりケース内を冷却可能な構成が知られている。回転棚は、鉛直方向に延びる支柱に沿って間隔をあけて複数固定されており、モータの駆動により支柱を回転させることができる。
【先行技術文献】
【特許文献】
【０００３】
【特許文献１】特開平４−２９５３１０号公報
【発明の概要】
【発明が解決しようとする課題】
【０００４】
上記従来の回転式ショーケースは、水平に配置された回転棚に展示品が載置されるため、回転棚が回転しても展示品の姿勢が変化せず、見る者にインパクトを与え難いという問題があった。
【０００５】
そこで、本発明は、見る者の注意を引きつけることができる回転式ショーケースの提供を目的とする。
【課題を解決するための手段】
【０００６】
本発明の前記目的は、側壁の少なくとも一部が透明に形成されたケース本体と、前記ケース本体の内部に底面に対して垂直な回転軸周りに回転可能に支持された不透明または半透明の回転板と、前記回転板を回転駆動する駆動装置とを備え、前記回転板は、前記底面に対して垂直に起立するように配置され、前記回転板の一方面に固定されて展示品を載置可能な棚板と、前記回転板の他方面から突出して展示品を吊り下げ支持可能な係合部とを更に備える回転式ショーケースにより達成される。
【０００７】
この回転式ショーケースにおいて、前記係合部は、アーチ状に形成されて、両端部が前記回転板に固定されていることが好ましい。
【０００８】
また、前記係合部に吊り下げ支持された展示物に対して下方から冷気を供給することにより冷却する冷却装置を更に備えることが好ましい。
【発明の効果】
【０００９】
本発明によれば、見る者の注意を引きつけることができる回転式ショーケースを提供することができる。
【図面の簡単な説明】
【００１０】
【図１】本発明の一実施形態に係る回転式ショーケースの側面図である。
【図２】図１に示す回転式ショーケースの正面図である。
【図３】図２に示す回転式ショーケースの要部平面図である。
【発明を実施するための形態】
【００１１】
以下、本発明の実施の形態について、添付図面を参照して説明する。図１および図２は、それぞれ本発明の一実施形態に係る回転式ショーケースの側面図および正面図である。図１および図２に示すように、回転式ショーケース１は、基台５０の上部に設置されたケース本体１０と、ケース本体１０の内部に回転可能に支持された回転板２０と、回転板２０を駆動する駆動装置３０と、ケース本体１０の内部を冷却する冷却装置４０とを備えている。駆動装置３０および冷却装置４０は、基台５０の内部に配置されている。
【００１２】
ケース本体１０は、ガラス等からなる透明な円筒状の部材であり、中心軸線が鉛直方向に延びるように配置されて、上下両端部が閉塞されている。ケース本体１０の背面側には、ケース本体１０の側壁に沿って周方向に摺動可能な開閉扉１１が設けられており、開閉扉１２を開けて展示品Ｅ１，Ｅ２の出し入れを行うことができる。本実施形態のケース本体１０は、側壁の全体が透明に形成されているが、側壁の少なくとも一部が透明に形成されていればよい。
【００１３】
回転板２０は、合成樹脂、金属、すりガラス等からなる不透明または半透明の平板状に形成されており、中心線に沿って延びる回転軸２１を備えている。回転軸２１は、ケース本体１０の底面１２に対して垂直方向に起立するように、軸受を介してケース本体１０に回転可能に支持されている。
【００１４】
駆動装置３０は、駆動モータや減速機構を備えており、回転軸２１の下端部が連結されて、回転板２０を回転軸２１の周りに回転駆動することができる。
【００１５】
冷却装置４０は、圧縮機、凝縮器、膨張弁、蒸発器等が、冷凍サイクルを形成するように構成されており、基台５０の外部から導入した空気を冷却する。ケース本体１０の底面には、周方向に沿って等間隔に複数の供給部１３が設けられており、冷却装置４０により冷却された空気は、不図示の空気流路を介して、供給部１３からケース本体１０の内部に供給される。
【００１６】
上記の構成を備える回転式ショーケース１において、回転板２０の両面には、それぞれ棚板２２および係合部２３が設けられている。図３は、図２に示す回転板２０の平面図である。図１から図３に示すように、棚板２２は、平面視半円状に形成されて、回転板２０の一方面に複数固定されており、それぞれの載置面が水平となるように上下に間隔をあけて配置されている。
【００１７】
係合部２３は、半円のアーチ状に形成されており、回転板２０の他方面から水平方向に突出するように、両端部が回転板２０の他方面に固定されている。係合部２３の中央は、回転軸２１から延びる補強部２４により補強されている。係合部２３には、展示品Ｅ２が取り付けられたフックＨを着脱可能に係合させることができ、展示品Ｅを吊り下げ支持することができる。
【００１８】
次に、上記の構成を備える回転式ショーケース１の作動を説明する。回転式ショーケース１の用途は特に限定されないが、例えば、飲食店の店内に利用者に見えるように設置して、食材等を冷却しながら展示する用途に好適に使用することができる。主として肉料理を提供する飲食店の場合、図１に示すように、棚板２２には、ブロック状の食肉からなる展示品Ｅ１を載置し、係合部２３には、ブロック状に切断する前の大きなサイズの食肉からなる展示品Ｅ２を吊り下げ支持することができる。係合部２３に吊り下げる食肉は、透明フィルム等で包装されていることが好ましい。このように、棚板２２および係合部２３の双方に展示品Ｅ１，Ｅ２を配置してバランスをとることで、後述する回転板２０のスムーズな回転を促すことができる。
【００１９】
この状態から駆動装置３０を作動させ、回転板２０を回転軸２１周りの矢示方向に低速で回転させると、係合部２３に吊り下げ支持された展示品Ｅ２は、徐々に回転板２０に遮られて見え難く一方、棚板２２に載置された展示品Ｅ１は、全体が徐々に現れて、回転板２０が９０度回転した時点で展示品Ｅ２のみが見えるようになる。回転板２０を更に回転させると、回転板２０に遮られていた展示品Ｅ１が徐々に現れる。このように、回転板２０の回転により、姿勢が異なる展示品Ｅ１，Ｅ２が交互に出現しては消滅することを繰り返すため、飲食店の利用者の目を引き易くなる。
【００２０】
開閉扉１１は、ケース本体１０の背面側に設けられているため、回転板２０の回転により棚板２２および係合部２３が背面側に移動したタイミングで、展示品Ｅ１，Ｅ２を入れ替えることができる。したがって、ケース本体１０の正面側から見る者に対して新たな展示品を順次提示して、興味を喚起することができる。
【００２１】
以上、本発明の一実施形態について詳述したが、本発明の具体的な態様は上記実施形態には限定されない。例えば、本実施形態においては、回転板２０に設けられた係合部２３をアーチ状に形成することで、複数の展示品Ｅ２を外部から見え易いように効率良く配置可能としているが、係合部２３の形状は、展示品を吊り下げ支持可能であれば、特に限定されない。展示品Ｅ２を吊り下げるフックＨは、係合部２３に予め固定しておくこともできる。
【００２２】
また、本実施形態においては、回転板２０により分割された２つの分割空間において、展示品Ｅ１，Ｅ２をそれぞれ異なる姿勢で展示可能としているが、回転板２０を複数備えることにより回転軸２１周りに３つ以上の分割空間を形成することも可能であり、それぞれの分割空間で展示品を所望の姿勢で展示することができる。
【符号の説明】
【００２３】
１  回転式ショーケース
１０  ケース本体
１２  底面
２０  回転板
２１  回転軸
２２  棚板
２３  係合部
３０  駆動装置
４０  冷却装置
【図１】
2020092806.tif 000003
【図２】
2020092806.tif 000004
【図３】
2020092806.tif 000005